(57)【要約】      （修正有）【課題】消防用ホースの端末部の漏水点検に要する労力、時間を大幅に削減でき、点検に使用される水の繰り返し使用を可能にする。【解決手段】点検装置本体１、加圧用ポンプ２及びホースクランプ部材３により構成され、点検装置本体１は、本体フレーム７上に水タンク８と集合管９とを上下に配備し、給水弁１０を閉じた状態で水タンク８に水を入れ、ホース１１の端末部をホース接続口１２に接続し、ホース１１の端末部の近傍をホースクランプ部材３でクランプし、コック２２を閉じて加圧用ポンプ２に水を入れ、ポンプホース１３をポンプ接続口１４に接続し、給水弁１０を開いてホース１１の端末部に充水し、給水弁１０を閉じ、コック２２を開いて加圧用ポンプ２によりホース１１の端末部内を加圧する方法によりホース１１の端末部からの漏水を点検する。点検後、ホース１１の端末部内および集合管９内の水を水タンク８に戻す。【選択図】図１
2004229811.tif 000002
【特許請求の範囲】
【請求項１】
本体フレームに水タンクと集合管とが上下に配備されるとともに、前記水タンクと前記集合管とが給水弁を介して接続され、前記集合管に圧力計が取り付けられ、前記集合管に、消防用ホースの両端末部がそれぞれ着脱可能に接続されるホース接続口、及びポンプ接続口が設けられている点検装置本体と、
前記ポンプ接続口に、コックを備えたポンプホースを介して着脱可能に接続される加圧用ポンプと、
前記消防用ホース端末部の近傍をクランプするホースクランプ部材と、
を備えてあることを特徴とする、消防用ホース端末部の点検装置。
【請求項２】
本体フレームに水タンクと集合管とが上下に配備されるとともに、前記水タンクと前記集合管とが給水弁を介して接続され、前記集合管に圧力計が取り付けられ、前記集合管に、消防用ホースの両端末部がそれぞれ着脱可能に接続されるホース接続口、及びポンプ接続口が設けられている点検装置本体と、前記ポンプ接続口に、コックを備えたポンプホースを介して着脱可能に接続される加圧用ポンプと、前記消防用ホース端末部の近傍をクランプするホースクランプ部材とを用意し、
前記給水弁を閉じた状態で前記水タンクに水を入れ、次いで前記消防用ホースの両端末部を前記ホース接続口にそれぞれ接続し、次いで該消防用ホースの両端末部の各近傍を前記ホースクランプ部材でクランプし、次いで前記コックを閉じて前記加圧用ポンプに水を入れ、前記ポンプホースをポンプ接続口に接続し、次いで前記給水弁を開いて消防用ホースの両端末部に充水し、充水後前記給水弁を閉じ、前記コックを開いて前記加圧用ポンプにより前記消防用ホースの両端末部内を加圧して該消防用ホースの両端末部、および該端末部と前記ホース接続口との接続部からの漏水を点検した後、前記給水弁を開きながら排圧し、前記点検装置本体を前記本体フレームごと上下反転させて前記消防用ホースの両端末部内および前記集合管内の水を前記水タンクに戻すことを特徴とする、消防用ホース端末部の点検方法。
【発明の詳細な説明】
【０００１】
【発明の属する技術分野】
本発明は、消防用ホースの端末部に充水し、所定の水圧をかけて漏水を確認する消防用ホース端末部の点検装置及び点検方法に関する。
【０００２】
【従来の技術】
屋内外消火栓や動力消防ポンプにおいて使用される消防用ホース、特に消防ホースの端末部は経年的に劣化しやすいため定期的に漏水の点検が行われるが、この点検に際しては消火栓を実際に起動させるか、または動力消防ポンプを起動させて消防用ホースの端末部に充水し、所定の水圧をかけることによって漏水の点検が行われている。
【０００３】
【発明が解決しようとする課題】
しかしながら、数多くの消防用ホースを点検するために、わざわざ遠隔位置にある消火栓や動力消防ポンプを起動させて消防用ホースに充水加圧する作業は、多くの労力と時間を要するのであった。
【０００４】
そこで本発明の目的は、消防用ホースの端末部の点検作業を簡易迅速に行えて簡便化を図れる消防用ホース端末部の点検装置および点検方法を提供することにある。本発明の他の目的は漏水点検に使用される水を繰り返し使用することのできる消防用ホース端末部の点検方法を提供することにある。
【０００５】
【課題を解決するための手段】
本発明の消防用ホース端末部の点検装置は、本体フレームに水タンクと集合管とが上下に配備されるとともに、前記水タンクと前記集合管とが給水弁を介して接続され、前記集合管に圧力計が取り付けられ、前記集合管に、消防用ホースの両端末部がそれぞれ着脱可能に接続されるホース接続口、及びポンプ接続口が設けられている点検装置本体と、前記ポンプ接続口に、コックを備えたポンプホースを介して着脱可能に接続される加圧用ポンプと、前記消防用ホース端末部の近傍をクランプするホースクランプ部材とを備えていることに特徴を有するものである。
【０００６】
本発明の消防用ホース端末部の点検方法は、上記構成の点検装置本体、加圧用ポンプ、およびホースクランプ部材を用意し、前記給水弁を閉じた状態で前記水タンクに水を入れ、次いで前記消防用ホースの両端末部を前記ホース接続口にそれぞれ接続し、次いで該消防用ホースの両端末部の各近傍を前記ホースクランプ部材でクランプし、次いで前記コックを閉じて前記加圧用ポンプに水を入れ、前記ポンプホースをポンプ接続口に接続し、次いで前記給水弁を開いて消防用ホースの両端末部に充水し、充水後前記給水弁を閉じ、前記コックを開いて前記加圧用ポンプにより前記消防用ホースの両端末部内を加圧して該消防用ホースの両端末部、および該端末部と前記ホース接続口との接続部からの漏水を点検した後、前記給水弁を開きながら排圧し、前記点検装置本体を前記本体フレームごと上下反転させて前記消防用ホースの両端末部内および前記集合管内の水を前記水タンクに戻すことに特徴を有するものである。
【０００７】
【作用】
上記構成の消防用ホース端末部の点検装置および方法によれば、点検装置本体と、ホースクランプ部材、および加圧用ポンプを使用して、給水弁を閉じた状態で水タンクに水を入れ、次いで消防用ホースの両端末部をホース接続口にそれぞれ接続し、次いで該消防用ホースの両端末部の各近傍をホースクランプ部材でクランプし、次いでコックを閉じて加圧用ポンプに水を入れ、ポンプホースをポンプ接続口に接続し、次いで給水弁を開いて消防用ホースの両端末部に充水し、充水後給水弁を閉じ、コックを開いて加圧用ポンプにより消防用ホースの両端末部内を加圧することにより消防用ホースの両端末部および該端末部とホース接続口との接続部からの漏水を簡易迅速に点検することができる。
【０００８】
また、上記構成の消防用ホース端末部の点検方法によれば、点検後、点検装置本体を本体フレームごと上下反転させて消防用ホースの端末部内および集合管内の水を水タンクに戻すことにより、同じ水を使用して消防用ホース内への充水と排水を交互に行えて繰り返し使用を可能にする。
【０００９】
【発明の実施の形態】
以下、本発明の好適な実施形態を図面に基づき説明する。図１は本発明の一実施例を示す消防用ホース端末部の点検装置の正面図、図２は図１の点検装置の拡大側面図、図３はホースクランプ部材により消防用ホース端末部の近傍をクランプする前後の状態を示す側面図、図４は図１の点検装置の反転前後の状態を示す側面図である。
【００１０】
図１、図２において、本発明に係る消防用ホースの端末部の点検装置は、点検装置本体１、手動又は電動式の加圧用ポンプ２、ホースクランプ部材３（図３参照）等から構成されている。
【００１１】
点検装置本体１は、図１、図２に示すように、四角形状の左右側枠４，４どうしを上下桟５，６で結合して箱型枠状に組み立てた本体フレーム７の内部に、水タンク８と集合管９とを上下に配備するとともに、これら水タンク８の底部と集合管９の中間部とをボール弁等の給水弁１０を介して接続する。集合管９はこれの両端部を閉塞して本体フレーム７の左右側枠４，４間に横架されている。この集合管９の中間部には消防用ホース１１の両端末部がそれぞれ着脱可能に接続されるホース接続口１２、加圧用ポンプ２のポンプホース１３の先端が着脱可能に接続されるポンプ接続口１４、圧力計１５、及び安全弁１６がそれぞれ備え付けられている。
【００１２】
ホース接続口１２には、媒介カップリング１７，１８を用意して、径の異なる二種の消防用ホースのいずれをも接続できるようにしている。たとえば、ホース接続口１２に４０Ａサイズの消防用ホースに適合する雌型カップリング１９と雄型カップリング２０を常備しておいて、６５Ａサイズの消防用ホース用に適合する雌雄型媒介カップリング１７，１８を用意し、これら雌雄型媒介カップリング１７，１８の各先端口径は前記４０Ａサイズ用の雌雄型カップリング１９，２０に接続可能に形成している。本体フレーム７は持ち運び易いように移動用ローラ２１を取り付けて任意場所へ移動可能にしている。
【００１３】
加圧用ポンプ２のポンプホース１３の先端にはコック２２を備えている。ホースクランプ部材３は、図３に示すように、消防用ホース１１の両端末部の各近傍（端末部より約２０〜３０ｃｍの部分）をクランプするものであって、消防用ホース１１の端末部の近傍を挟む一対のアングル等の挟持板２３，２３と、該挟持板２３，２３を挟み付ける万力２４とからなる。
【００１４】
次に、上記構成の点検装置の使用方法について説明する。
＜使用方法＞
▲１▼  水タンク８と集合管９との間の給水弁１０を「閉」にして水タンク８に水を入れる。
▲２▼  消防用ホース１１の両端末部をそれぞれホース接続口１２に接続する。
▲３▼  消防用ホース１１の各端末部より約２０〜３０ｃｍの部分をホースクランプ部材３で挟み付ける。
▲４▼  ポンプホース１３のコック２２を「閉」にして加圧用ポンプ２に水を入れる。
▲５▼  ポンプホース１３の先端をポンプ接続口１４に接続する。
▲６▼  給水弁１０を「開」にして集合管９および消防用ホース１１の両端末部に充水する。
▲７▼  消防用ホース１１の両端末部に十分充水されたことを確認し、給水弁１０を「閉」にする。
▲８▼  ポンプホース１３のコック２２を「開」にして、加圧用ポンプ２により消防用ホース１１の両端末部内を設定圧力まで加圧する。設定圧力以上になると安全弁１６から水が漏れる。
▲９▼  圧力計１５で設定圧力になったことを確認し、所定の水圧を５分間かけて消防用ホース１１の両端末部、およびホース接続口１２との接続部からの漏水及び圧力下降の有無を確認する。
【００１５】
＜使用後＞
▲１▼  使用後は、給水弁１０を徐々に開放しながら排圧する。
▲２▼  ポンプホース１３のコック２２を「閉」にしてポンプホース１３をコック２２ごとポンプ接続口１４から取り外す。
▲３▼  点検装置本体１を本体フレーム７ごと上下反転させることにより（図４参照）、消防用ホース１１の端末部内および集合管９内の水を水タンク８に戻す。
▲４▼  消防用ホース１１内の水が十分に抜けたことを確認し、給水弁１０を「閉」にして反転状態の点検装置本体１を元の状態に戻す。
▲５▼  消防用ホース１１の両端末部をホース接続口１２から取り外す。
【００１６】
上記のように点検装置本体１、加圧用ポンプ２およびホースクランプ部材３を用いることによって、実地の消火栓や動力消防ポンプを使用しなくても消防用ホース１１の端末部の点検を簡易迅速に行うことができる。したがって、その漏水点検に要する労力、時間を大幅に削減できる。この点検時ホースクランプ部材３の挟持板２３の消防用ホース１１を圧接する面上には、図３中の部分拡大図に示すように、消防用ホース１１を横切るように細線２５を付設することで、消防用ホース１１のクランプ能力を高めることができる。
点検後、点検装置本体１を上下反転させて消防用ホース１１の端末部内および集合管９内の水を水タンク８に戻すことにより、点検用の水を繰り返し使用できる。
【００１７】
【発明の効果】
本発明の消防用ホース端末部の点検装置及び点検方法によれば、消防用ホースの端末部の漏水点検に要する労力、時間を大幅に削減でき、その点検作業の簡便化を図れて有利である。また、本発明の消防用ホース端末部の点検方法によれば、点検に使用される水を回収して繰り返し使用することができるため、点検毎に新たに使用水を水タンクに入れる手間を省くことができて点検作業をより一層簡便化でき、また節水を図れる利点がある。
【図面の簡単な説明】
【図１】本発明の一実施例を示す消防用ホース端末部の点検装置の正面図である。
【図２】図１の点検装置の拡大側面図である。
【図３】ホースクランプ部材により消防用ホース端末部の近傍をクランプする前後の状態を示す側面図である。
【図４】図１の点検装置の反転前後の状態を示す側面図である。
【符号の説明】
１  点検装置本体
２  加圧用ポンプ
３  ホースクランプ部材
７  本体フレーム
８  水タンク
９  集合管
１０  給水弁
１１  消防用ホース
１２  ホース接続口
１３  ポンプホース
１４  ポンプ接続口
１５  圧力計
２２  コック
【図１】
2004229811.tif 000003
【図２】
2004229811.tif 000004
【図３】
2004229811.tif 000005
【図４】
2004229811.tif 000006